(57)【要約】【課題】光通信装置において、対向する装置のコンフィグレーション設定が膨大で手間になることがある。【解決手段】ＣＰＵ１０２内に設定情報の一部を反転する演算機能を有しており、クライアント端末４の指示に基づき、メモリ１０３に保持している第１のＳＤＨ終端中継装置１の設定情報（パラメータ）をＣＰＵ１０２に読み出し、パラメータの所定箇所を入れ替えた情報を対向装置２に送信させる。対向装置である第２のＳＤＨ終端中継装置２ではこの入れ替え情報（第２のＳＤＨ終端中継装置２の設定パラメータ情報）をメモリに書き込み、該当モジュールにコマンド実行することによって、第２のＳＤＨ終端中継装置２の設定を完了する。【選択図】図１
2008245206.tif 000002
【特許請求の範囲】
【請求項１】
光通信に用いられる光通信装置であって、
光通信のための設定情報として複数のパラメータを設定するパラメータ設定部と、
光通信に関する内部構成に当該光通信装置と対称性を有する他の光通信装置に設定すべき他装置用の設定情報を、対称性を有する内部構成に関する所定のパラメータを入れ替えて生成する他装置用パラメータ生成部と、
を備えることを特徴とする光通信装置。
【請求項２】
前記他装置用パラメータ生成部は、前記他装置用の設定情報を、前記他の光通信装置に対して伝送する外部インターフェースを備えることを特徴とする請求項１に記載の光通信装置。
【請求項３】
光通信の方式として、ＳＯＮＥＴ方式又はＳＤＨ方式が用いられることを特徴とする請求項１又は２に記載の光通信装置。
【請求項４】
主信号系として、第１及び第２の主信号系を有し、
前記他装置用パラメータ生成部は、前記第１又は第２の主信号系に設定されている設定情報を選別し、選別された設定情報の所定のパラメータを前記対称性を反映させて入れ替えることを特徴とする請求項１から３までのいずれかに記載の光通信装置。
【請求項５】
前記他装置用パラメータ生成部において入れ替えられる前記所定のパラメータは、光通信のために実装されるモジュールの設置位置に関連づけられていることを特徴とする請求項１から４までのいずれかに記載の光通信装置。
【請求項６】
光通信に用いられる光通信装置であって、
光通信のための設定情報を光通信に関する内部構成に対称性を有している他の光通信装置から、対称性を有している内部構成に関するパラメータを入れ替えて取得する手段を備えたことを特徴とする光通信装置。
【請求項７】
光通信に関する構成に互いに対称性を有する二つの光通信装置が接続された光通信システムにおいて設定情報を設定するコンフィグレーション設定方法であって、
一方の光通信装置において、光通信のために必要となる設定情報として複数のパラメータを設定する第１の設定工程と、
前記設定情報として設定された複数のパラメータのうち、対称性を有する装置内の構成に関するパラメータをその対称性を反映させて入れ替え、他方の光通信装置の設定情報を生成する他装置設定情報生成工程と、
前記他方の光通信装置に、前記他装置設定情報生成工程で生成された設定情報を反映させる第２の設定工程と
を有することを特徴とするとコンフィグレーション設定方法。
【発明の詳細な説明】
【技術分野】
【０００１】
本発明は、光通信装置及びコンフィグレーション設定方法に係り、特にＳＯＮＥＴ／ＳＤＨ通信網において、対向装置のコンフィグレーション設定を行う光通信装置及びコンフィグレーション設定方法に関する。
【背景技術】
【０００２】
光ファイバ通信システム（以下、「光通信システム」という）においては、伝送量の大容量化のために多重化が行われている。そして、その多重化では、世界的に統一された同期多重化方式であるＳＤＨ（Synchronous Digital Hierarchy）と呼ばれる方式や、ＳＤＨ方式と互換性が高い米国独自規格のＳＯＮＥＴ（Synchronous Optical Network）と呼ばれる方式が用いられている。
【０００３】
ＳＤＨは各種の高速サービスや既存の低速サービスを有効に多重化するためのインターフェースであり、基本速度１５５．５２Ｍｂｐｓ（以下、「１５６Ｍｂｐｓ」とも表記する）の整数倍で規定されている。すなわち、１５６Ｍｂｐｓ×Ｎ（Ｎ＝１，４，１６，６４）を伝送速度とし、それぞれＳＴＭ（Synchronous Transfer Mode）−１（１５５．５２Ｍｂｐｓ）、ＳＴＭ−４（６２２．０８Ｍｂｐｓ）、ＳＴＭ−１６（２．４８８Ｇｂｐｓ）、ＳＴＭ−６４（９．９５３Ｇｂｐｓ）と表記され、連続コンカチネーション（ＶＣ４、ＶＣ４−４ｃ、ＶＣ４−１６ｃ、ＶＣ４−６４ｃ）の組み合わせで通信される。
【０００４】
ＳＯＮＥＴは基本速度を５１．８４Ｍｂｐｓとした米国独自規格のＳＤＨであり、伝送速度は上記ＳＴＭに当たるＯＣ（Optical Carrier）で表現され、ＯＣ−３、ＯＣ−１２、ＯＣ−４８、ＯＣ−１９２はＳＤＨのＳＴＭ−１、ＳＴＭ−４、ＳＴＭ−１６、ＳＴＭ−６４にそれぞれ該当する。ＯＣ−１（５１．８４Ｍｂｐｓ）に対しては、ＪａｐａｎモードのＳＴＭ−０（５１．８４Ｍｂｐｓ）のフレーム構成があり、ＶＣ３と表記される。ＳＤＨとＳＯＮＥＴは統一したデジタルハイアラーキ（階層構造）で構築され、厳密には両者の仕様は一部異なるものの、以下の説明では特に断りがない限りＳＤＨで記述する。
【０００５】
一方、これらの連続コンカチネーションに対して、ＳＤＨの帯域を効率的に収容するバーチャルコンカチネーション（ＶＣ：Ｖｉｒｔｕａｌ Ｃｏｎｃａｔｅｎａｔｉｏｎ）がある。これはＶＣ３−ＸｖもしくはＶＣ４−Ｘｖ（Ｘは整数）と表記され、ＶＣ３（４８．９６Ｍｂｐｓ）もしくはＶＣ４（１５０．３３６Ｍｂｐｓ）を基本パスとし、任意数（Ｘ）を多重化して帯域を確保する技術である。
【０００６】
バーチャルコンカチネーションは、ＳＤＨと異なる伝送速度を持つ他インターフェース、例えば、ファースト・イーサーネット（登録商標）、ギガビット・イーサーネット（登録商標）（ＧｂＥ）や、ストレージ信号であるＦｉｂｒｅ Ｃｈａｎｎｅｌ、ＥＳＣＯＮ（Enterprise System CONnection）等をＳＤＨフレームに収容する場合に有効であり、その構成や実現手段は様々に開示されている（特許文献１及び特許文献２参照）。
【０００７】
例えば、伝送速度が２．４８８ＧｂｐｓであるＳＴＭ−１６にギガビット・イーサーネット（登録商標）の帯域を収容させる場合、伝送速度が１ＧｂｐｓであるＶＣ４−１６ｃの連続コンカチネーションでは１Ｇｂｐｓを確保しても、残りの帯域は使用できず無駄になる。一方、バーチャルコンカチネーションを適用すれば、１Ｇｂｐｓの伝送速度であるＶＣ４−７ｖをギガビット・イーサーネット（登録商標）に帯域を割り当て、残りのＶＣ４−９ｖ分を別信号として自由に確保することができる。
【０００８】
このように２．４８８Ｇｂｐｓの伝送速度であるＳＴＭ−１６を例にすれば、ＶＣ４は最大１６パス（ＶＣ４−１６ｖ）まで、伝送速度がＶＣ４の１／３であるＶＣ３では最大４８パス（ＶＣ３−４８ｖ）まで自由に組み合わせて帯域を確保することが可能であり、非常によく利用されている。
【特許文献１】特開２００６−２７０８８８号公報
【特許文献２】特開２００２−２３２３８０号公報
【発明の開示】
【発明が解決しようとする課題】
【０００９】
ところが、ＳＴＭ−６４にもなると、収容可能なパスは、最大６４パス（ＶＣ４−６４ｖ）となる。さらにシステム規模が大きくなると、実装するモジュール数やポート数、その他の内部で設定すべき項目数が増えるので、設定が膨大かつ煩雑になり、設定のための時間を要したりするといった課題がある。これまでクライアント端末は個々の装置にアクセスし装置設定を行っていたが、実装するモジュール台数やポート数が多い場合、設定が煩雑になるので、簡素化が求められている。また、大規模な商用システムでは監視システムにサーバーを設け、設定情報をデータベース化することもあるが、サーバーの負荷を低減したり、簡易的な監視システム（システム評価環境を含む）が必要であったりする場合、別の設定手段が要求される。
【００１０】
本発明は、以上のような状況に鑑みなされたものであって、その目的は、光通信装置のコンフィグレーション設定時に、対向装置のコンフィグレーション設定を簡素化する技術を提供することにある。
【課題を解決するための手段】
【００１１】
本発明に係る装置は、光通信に用いられる光通信装置であって、光通信のための設定情報として複数のパラメータを設定するパラメータ設定部と、光通信に関する内部構成に当該光通信装置と対称性を有する他の光通信装置に設定すべき他装置用設定情報を、前記対称性を有する内部構成に関する所定のパラメータを入れ替えて生成する他装置用パラメータ生成部と、を備える。
前記他装置用パラメータ生成部は、前記他装置用の設定情報を、前記他の光通信装置に対して伝送する外部インターフェースを備えてもよい。
また、光通信の方式として、ＳＯＮＥＴ方式又はＳＤＨ方式が用いられてもよい。
また、主信号系として、第１及び第２の主信号系を有し、前記他装置用パラメータ生成部は、前記第１又は第２の主信号系に設定されている設定情報を選別し、選別された設定情報の所定のパラメータを、前記対称性を反映させて入れ替えてもよい。
また、前記他装置用パラメータ生成部において、入れ替えられる前記所定のパラメータは、光通信のために実装されるモジュールの設置位置に関連づけられてもよい。
本発明に係る別の装置は、光通信に用いられる光通信装置であって、光通信のための設定情報を、光通信に関する内部構成に対称性を有している他の光通信装置から、対称性を有している内部構成に関するパラメータを入れ替て取得する手段を備えている。
本発明に係る方法は、光通信に関する構成に互いに対称性を有する二つの光通信装置が接続された光通信システムにおいて設定情報を設定するコンフィグレーション設定方法であって、一方の光通信装置において、光通信のために必要となる設定情報として複数のパラメータを設定する第１の設定工程と、前記設定情報として設定された複数のパラメータのうち、対称性を有する装置内の構成に関するパラメータをその対称性を反映させて入れ替え、他方の光通信装置用の設定情報を生成する他装置設定情報生成工程と、前記他方の光通信装置に前記他装置設定情報生成工程で生成された設定情報を反映させる第２の設定工程とを有する。
【発明の効果】
【００１２】
本発明によれば、複数の光通信装置が接続される環境において、接続される光通信装置同士の内部構成の対称性を利用することで、対向装置のコンフィグレーション設定を簡素化できる。
【発明を実施するための最良の形態】
【００１３】
次に、本発明を実施するための最良の形態（以下、単に「実施形態」という）を、図面を参照して具体的に説明する。
【００１４】
図１にＰｏｉｎｔ−ｔｏ−Ｐｏｉｎｔの一般的な光通信システム構成を示す。このシステムは、第１及び第２のＳＤＨ終端中継装置１，２を備え、機能別に分担されたモジュールが装置内スロットに実装されて通信が実現される。
【００１５】
第１のＳＤＨ終端中継装置１は、図上側のＷｅｓｔ側１５ｗと図下側のＥａｓｔ側１５ｅとの二つの主信号系を有する。同様に、第２のＳＤＨ終端中継装置２は、図下側のＷｅｓｔ側２５ｗと図上側のＥａｓｔ側２５ｅとの二つの主信号系を有する。そして第１及び第２のＳＤＨ終端中継装置１，２は伝送路３を通じて、第１のＳＤＨ終端中継装置１のＷｅｓｔ側１５ｗと第２のＳＤＨ終端中継装置２のＥａｓｔ側２５ｅとが双方向通信し、第１のＳＤＨ終端中継装置１のＥａｓｔ側１５ｅと第２のＳＤＨ終端中継装置２のＷｅｓｔ側２５ｗとが双方向通信し、運用系と非運用系が構成されている。
【００１６】
第１のＳＤＨ終端中継装置１のＷｅｓｔ側１５ｗは、低速側モジュール１１ｗと、クロスコネクト・モジュール１２ｗと、高速側モジュール１３ｗとを備えバス１４で直列に接続され、同様にＥａｓｔ側１５ｅは、低速側モジュール１１ｅと、クロスコネクト・モジュール１２ｅと、高速側モジュール１３ｅとを備えバス１４で直列に接続されている。また第２のＳＤＨ終端中継装置２のＷｅｓｔ側２５ｗは、低速側モジュール２１ｗと、クロスコネクト・モジュール２２ｗと、高速側モジュール２３ｗとを備えバス２４で直列に接続され、同様にＥａｓｔ側２５ｅは、低速側モジュール２１ｅと、クロスコネクト・モジュール２２ｅと、高速側モジュール２３ｅとを備えバス２４によって直列に接続されている。
【００１７】
それぞれの低速側モジュール１１ｗ，１１ｅ，２１ｗ，２１ｅは、外部装置との入出力ポートを二つ備え、伝送路３よりも狭帯域のインターフェース（例えば、ＳＴＭ−０、ＳＴＭ−１、ファースト・イーサーネット（登録商標）やギガビット・イーサーネット（登録商標）、ストレージ信号フォーマット等）を扱う。
【００１８】
これらの入出力ポートから入力された信号（伝送データ）は、低速側モジュール１１ｗ，１１ｅ，２１ｗ，２１ｅの内部で光−電気変換され、一旦ＧＦＰ（Generic Framing Procedure）フレームにマッピングされた後、バーチャルコンカチネーション機能を用いて複数パス（ＶＣ３−ＸｖまたはＶＣ４−Ｘｖ）に集約され、クロスコネクト・モジュール１２ｗ，１２ｅ，２２ｗ，２２ｅに送信される。なお、ＧＦＰは汎用フレームをＳＯＮＥＴ／ＳＤＨのフレームにマッピングする技術で、ＩＴＵ（国際電気通信連合）において標準化されたものである。対応可能な汎用フレームの種類として、例えば、主にストレージ・ネットワークに使用されているギガビット級ネットワーク技術のファイバーチャネルのフレームや、イーサーネット（登録商標）のフレームがある。
【００１９】
クロスコネクト・モジュール１２ｗ，１２ｅ，２２ｗ，２２ｅは、低速側モジュール１１ｗ，１１ｅ，２１ｗ，２１ｅから入力された伝送データを、所望のデータ伝送経路に設定し、高速側モジュール１３ｗ，１３ｅ，２３ｗ，２３ｅへ送信する。
【００２０】
高速側モジュール１３ｗ，１３ｅ，２３ｗ，２３ｅは、伝送データに対してＳＤＨ終端処理としてセクション・オーバーヘッドの付与や警報処理を施し、電気−光変換した後、伝送データをＳＴＭパケットとして伝送路３へ送信する。
【００２１】
受信側は概ね送信側の逆の処理を行っており、ここでは説明を省略する。なお、本実施形態では入出力ポート数を２ポート（ポート１，ポート２）で記載しているが、これに限る趣旨ではない。また、クロスコネクト・モジュール１２ｗ，１２ｅ，２２ｗ，２２ｅに接続する低速側モジュール１１ｗ，１１ｅ，２１ｗ，２１ｅを１台で記載したが、複数台接続されてもよい。
【００２２】
また、クライアント端末４が、第１のＳＤＨ終端中継装置１に備わる監視モジュール１０と配線され、装置内バス（図示せず）を通じて第１のＳＤＨ終端中継装置１内の各モジュールの設定情報を読み書きしたり警報監視を行ったりする。さらに、クライアント端末４は、監視網５を通じて第２のＳＤＨ終端中継装置２内の監視モジュール２０にアクセスし、対向装置である第２のＳＤＨ終端中継装置２の設定や監視を行う。
【００２３】
つぎに、パスがバーチャルコカチネーションで集約され伝播する様子と、各モジュールの設定パラメータを説明する。図２は、パス構成の例を示している。ここでは図１の上段の主信号系（１５ｗ，２５ｅ）のみを表し、下段は同様であるので説明を省略する。
【００２４】
図示のように、低速側モジュール１１ｗ，２１ｅのポート１にＶＣ４−５ｖ（ＶＣ４＃１〜＃５）の帯域を、ポート２にＶＣ４−２ｖ（ＶＣ４＃６，＃７）の帯域を設け、各ポートはそれぞれＶＣ終端点１、ＶＣ終端点２において、多重化されている。なお、＃１〜＃７は、タイムスロット番号ともいい、ある低速側モジュールにおいて集約されているバーチャルコカチネーションに対して順に付した番号である。チャンネルＩＤ（ＣＨ  ＩＤ）はパケット多重分離時の宛先として使用される。チャンネルＩＤ１，３の伝送経路は、ポート１における第１のＳＤＨ終端中継装置１のＷｅｓｔ側１５ｗから、第２のＳＤＨ終端中継装置２のＥａｓｔ側２５ｅへの伝送への向き（本図左から右）となっており、チャンネルＩＤ２，４の伝送経路はその反対向き（本図右から左）となっている。以下、主にチャンネルＩＤ１について説明する。
【００２５】
低速側モジュール１１ｗは、ＶＣ４に対し、高次ＶＣの先頭位置である旨を示すＡＵ（管理ユニット：administrative unit）ポインタを付与してＡＵ４とする。例えば、ＶＣ４＃１は、ＡＵ４＃１となる。なお、ＩＴＵ−Ｔ勧告では、２種類のＡＵが定義されており、ＶＣ３にその先頭位置を指示するポインタを付加したものをＡＵ３といい、ＶＣ４にポインタを付加したものをＡＵ４という。
【００２６】
つぎに、クロスコネクト・モジュール１２ｗは、これらＡＵパスを高速側モジュール１３ｗ，２３ｅのＡＵ４フレームに順番に割り当て、ＳＤＨ信号（ＶＣ４−７ｖ）として第１のＳＤＨ終端中継装置１の高速側モジュール１３ｗから、伝送路３を経由して第２のＳＤＨ終端中継装置２のに高速側モジュール２３ｅに送信する。
【００２７】
ところで、装置設定（コンフィグレーションの設定）の際には、従来はクライアント端末４から第１及び第２のＳＤＨ終端中継装置１，２に個別にアクセスしコンフィグレーション設定していた。そのような作業は、上述の通り、第１及び第２のＳＤＨ終端中継装置１，２に装着されるモジュール数やポート数によっては膨大になり、作業負担が大きかった。そこで、対向する装置同士の構成の対象性を利用して、自装置（例えば第１のＳＤＨ終端中継装置１）の設定情報を元に対向装置（例えば第２のＳＤＨ終端中継装置２）に反映させる。これによって、ＳＤＨ終端中継装置の設定の煩雑さを低減する
【００２８】
図３は、第１のＳＤＨ終端中継装置１の監視モジュール１０の構成を示した図であり、クライアント端末４は第１のＳＤＨ終端中継装置１の監視モジュール１０とＬＡＮ接続されており、外部インターフェースであるＬＡＮ終端回路１０１で終端された後、ＣＰＵ１０２、メモリ１０３、第１のＳＤＨ終端中継装置１内の各モジュールとバス回線１００によって並列に接続されている。
【００２９】
ＣＰＵ１０２はクライアント端末４からの指示に従い、メモリ１０３に設定情報（パラメータ）を書き込んで第１のＳＤＨ終端中継装置１内の各モジュールにコマンドを発する。したがって、ＣＰＵ１０２とメモリ１０３はパラメータ設定部として機能する。
【００３０】
一方、本実施形態の特徴としてＣＰＵ１０２内に設定情報の一部を反転（入替）する演算機能を有しており、クライアント端末４の指示に基づき、メモリ１０３に保持している第１のＳＤＨ終端中継装置１の設定パラメータ情報をＣＰＵ１０２に読み出し、パラメータの所定箇所を入れ替える。つまり、ＣＰＵ１０２とメモリ１０３は、他装置用パラメータ生成部として機能する。さらにＣＰＵ１０２は、入れ替え情報（入れ替えずそのまま適用する共通設定情報を含む）を対向装置である第２のＳＤＨ終端中継装置２に送信させる。
【００３１】
対向装置である第２のＳＤＨ終端中継装置２では、この入れ替え情報（第２のＳＤＨ終端中継装置２の設定パラメータ情報）を第２のＳＤＨ終端中継装置２のメモリに書き込み、第２のＳＤＨ終端中継装置２の各モジュールにコマンド実行することによって、第２のＳＤＨ終端中継装置２の設定を完了する。なお、監視モジュール１０，２０の内部構成は同一であるので、監視モジュール２０の内部は省略して記載している。
【００３２】
クライアント端末４から第１及び第２のＳＤＨ終端中継装置１，２に指示するメッセージとして、テレコミニュケーション分野で一般的に使用されるＴＬ１（トランザクション言語１）を用いている。ＴＬ１のメッセージは主にモジュールやファシリティ（ライン（ポート）などの回線）を特定するＡＩＤ（アクセスＩＤ）をコマンド後に付与する形式となっており、人間に読解可能な特徴がある。
【００３３】
そこで図１のシステム構成を例に、第１及び第２のＳＤＨ終端中継装置１，２に実装するモジュールの配置を図４に示す。第１及び第２のＳＤＨ終端中継装置１，２は、それぞれスロット番号０から６（ＳＬ０〜ＳＬ６）まで７個のスロットルを備えている。監視モジュール１０，２０はスロット番号０（ＳＬ０）に実装され、Ｗｅｓｔ側１５ｗ，２５ｗのモジュールは奇数のスロット番号（ＳＬ１，ＳＬ３，ＳＬ５）に、Ｅａｓｔ側１５ｅ，２５ｅのモジュールは偶数のスロット番号（ＳＬ２，ＳＬ４，ＳＬ６）に実装するよう、予め決められている。
【００３４】
また、同一機能を有するモジュールは隣り合うスロットに実装される。具体的には、スロット番号１（ＳＬ１）には、Ｗｅｓｔ側１５ｗ，２５ｗの低速側モジュール１１ｗ，２１ｗが実装される。スロット番号２（ＳＬ２）には、Ｅａｓｔ側１５ｅ，２５ｅの低速側モジュール１１ｅ，２１ｅが実装される。スロット番号３（ＳＬ３）には、Ｗｅｓｔ側１５ｗ，２５ｗのクロスコネクト・モジュール１２ｗ，２２ｗが実装される。スロット番号４（ＳＬ４）には、Ｅａｓｔ側１５ｅ，２５ｅのクロスコネクト・モジュール１２ｅ，２２ｅが実装される。スロット番号５（ＳＬ５）には、Ｗｅｓｔ側１５ｗ，２５ｗの高速側モジュール１３ｗ，２３ｗが実装される。スロット番号６（ＳＬ６）には、Ｅａｓｔ側１５ｅ，２５ｅの高速側モジュール１３ｅ，２３ｅが実装される。
【００３５】
従って、自装置（第１のＳＤＨ終端中継装置１）と対向装置（第２のＳＤＨ終端中継装置２）で同一機能を有するモジュールのスロット番号の組み合わせ、つまり隣り合うスロットの組合せは、（ＳＬ１，ＳＬ２）、（ＳＬ３，ＳＬ４）、（ＳＬ５，ＳＬ６）となり、スロット番号はこの組み合わせの中で入れ替わる。例えば、自装置のある機能のモジュールが実装されているスロット番号が「ＳＬ１」であれば、対向装置側は「ＳＬ２」となる。
【００３６】
図４において、墨塗りして示しているたモジュール（１１ｗ〜１３ｗ，２１ｅ〜２３ｅ）は、図１の上段の主信号経路（１５ｗ，２５ｅ）を示している。一方、スロット番号ＳＬ０を除いた墨塗りされていないモジュール（１１e〜１３e，２１w〜２３w）は、図1の下段の主信号経路（１５ｅ，２５ｗ）を示している。
【００３７】
図５〜図７は図１の上段側の主信号系（１５ｗ，２５ｅ）を例にした設定情報（ＡＩＤを含む）を示しており、この設定情報を設定することをコンフィグレーション設定という。本来、ＡＩＤには架番号、シェルフ番号などが付与されたり、図１の構成例では部分的に固定値であったりするが、ここでは簡略化して記載している。
【００３８】
図５〜図７において、第２のＳＤＨ終端中継装置２に対し第１のＳＤＨ終端中継装置１でパラメータが入れ替わっている箇所を斜体字で示している。なお、第１及び第２のＳＤＨ終端中継装置１，２の共通した設定パラメータ、例えば伝送方式の種別（ＳＯＮＥＴ又はＳＤＨ）、信号波長（８５０ｎｍ又は１３１０ｎｍ）、レーザーの駆動制御方法（オートレーザーシャットダウンなど）等はここでは省略している。
【００３９】
図５は、モジュール登録（ポートを含む）とＶＣ終端点登録に関する情報を示した表である。ＡＩＤは、スロット番号とポート番号（クロスコネクト・モジュール、高速側モジュールでは省略）で表現しており、ＶＣ終端点１、ＶＣ終端点２をポート１，２に割り当てた状態を示している。なお、表中のＬ、ＸＣ、Ｈはそれぞれ低速側モジュール、クロスコネクト・モジュール、高速側モジュールの略称である。また、表中の「装置１」は「第１のＳＤＨ終端中継装置１」を、「装置２」は「第２のＳＤＨ終端中継装置２」を意味している。例えば、表中における「Ｌ１−２」は、低速モジュール（Ｌ）がスロット番号１（ＳＬ１）に実装されており、ポート番号がポート２である旨を示している。また、表中の「ＸＣ３」は、クロスコネクト・モジュール（ＸＣ）が、スロット番号３（ＳＬ３）に実装されていることを示し、「Ｈ５」は高速側モジュールがスロット番号５（ＳＬ５）に実装されていることを示している。本図で示すように、第１のＳＤＨ終端中継装置１と第２のＳＤＨ終端中継装置２とでは、それぞれのＡＩＤのスロット番号が、上述した組み合わせとなるように入れ替わっている。なお、入れ替わっている箇所を斜体字で示しており、この入れ替えが上述した「設定情報の一部を反転する演算」にあたる。
【００４０】
図６はチャンネルＩＤの設定を示した表であり、スロット番号が入れ替わるだけでなく送信元と送信先も入れ替わることに注意が必要である。
【００４１】
図７は低速モジュールと高速モジュールのＡＵ登録ならびに、クロスコネクト・モジュール（ＸＣ）で双方のＡＵパスがタイムスロット番号順に割り当てられていることを示す。ＡＵ４もまた、ＡＩＤで表記されている。
【００４２】
図３において、クライアント端末４から第１のＳＤＨ終端中継装置１を設定する場合、ＣＰＵ１０２はバス１００を通じてメモリ１０３に、ＡＩＤを含む全ての設定情報（Ｗｅｓｔ側１５ｗとＥａｓｔ側１５ｅ）を書き込み、ＡＩＤで指定された対象にＴＬ１メッセージを実行する。すなわちメモリ１０３には第１のＳＤＨ終端中継装置１の全ての設定情報が書き込まれ、保存されている。
【００４３】
対向装置である第２のＳＤＨ終端中継装置２を設定する場合、クライアント端末４は第１のＳＤＨ終端中継装置１にアクセスし、第１のＳＤＨ終端中継装置１のＣＰＵ１０２にメモリ１０３に保存された全設定情報（Ｗｅｓｔ側とＥａｓｔ側）を読み込ませ、該当する箇所（図５〜図７の斜線字部分）を入れ替えて第２のＳＤＨ終端中継装置２へ送信する。なお、第１及び第２のＳＤＨ終端中継装置１，２で共通の設定情報も送信される。
【００４４】
第２のＳＤＨ終端中継装置２では第２のＳＤＨ終端中継装置２内の作業領域としてのメモリに、入れ替え情報が書き込まれ、第２のＳＤＨ終端中継装置２内のＣＰＵが指定された対象にＴＬ１メッセージを実行することによって、パラメータ設定部として機能するメモリに記憶され、第２のＳＤＨ終端中継装置２の設定が完了する。
【００４５】
以上、本実施形態によれば、光通信装置のコンフィグレーション設定時に、自装置と対向して接続される対向装置の設定情報が、自装置との対称性を利用した情報をもとに設定できるので、対向装置の設定が簡素化できる。
【００４６】
なお、本発明は上記した実施形態に限定されるものではなく、本発明の要旨を逸脱しない範囲内において種々変更を加え得ることは勿論である。例えば、第２の実施形態として、図８に示すように装置がタンデム接続するシステム構成の場合、Ｗｅｓｔ側又はＥａｓｔ側を選別してＣＰＵがメモリから設定パラメータ情報を読み出しても良い。その場合、第２のＳＤＨ終端中継装置２のＷｅｓｔ側、Ｅａｓｔ側の設定パラメータは第１のＳＤＨ終端中継装置１のＥａｓｔ側、第３のＳＤＨ終端中継装置６のＷｅｓｔ側をそれぞれ入れ替えた情報となる。モジュールの実装位置はＷｅｓｔ側、Ｅａｓｔ側でスロット番号が奇数、偶数で分かれているので、容易に選別することができる。
【００４７】
また、対向装置用設定情報は、監視網５を経由して、自装置から対向装置へ伝送されたがこれに限らず、例えば、記録メディアに対向装置用設定情報を書き込み、対向装置に接続された所定の記録装置によって読み出し、読み出した対向装置用設定情報を、対向装置の設定情報として反映させる態様であってもよい。
【産業上の利用可能性】
【００４８】
本発明は、光通信装置において広く利用できる。
【図面の簡単な説明】
【００４９】
【図１】本実施形態に係るＰｏｉｎｔ−ｔｏ−Ｐｏｉｎｔの一般的な光通信システム構成の概略を示す図である。
【図２】通信システムにおけるパス構成の例を示している。
【図３】第１のＳＤＨ終端中継装置の監視モジュールの構成を示した図である。
【図４】第１及び第２のＳＤＨ終端中継装置に実装するモジュールの配置図である。
【図５】モジュール登録とＶＣ終端点登録に関する情報を示した表である。
【図６】チャンネルＩＤの設定を示した表である。
【図７】低速モジュールと高速モジュールのＡＵ登録に関する情報を示した図である。
【図８】第２の実施形態の光通信システムの構成の概略を示す図である
【符号の説明】
【００５０】
１・・・第１のＳＤＨ終端中継装置
２・・・第２のＳＤＨ終端中継装置
３・・・伝送路
４・・・クライアント端末
５・・・監視網
６・・・第３のＳＤＨ終端中継装置
１０，２０・・・監視モジュール
１１ｅ，１１ｗ，２１ｅ，２１ｗ・・・低速側モジュール
１２ｅ，１２ｗ，２２ｅ，２２ｗ・・・クロスコネクト・モジュール
１３ｅ，１３ｗ，２３ｅ，２３ｗ・・・高速側モジュール
１４，２４・・・バス
１５ｅ，２５ｅ・・・Ｅａｓｔ側
１５ｗ，２５ｗ・・・Ｗｅｓｔ側
１００・・・バス回線
１０１・・・ＬＡＮ終端回路
１０２・・・ＣＰＵ
１０３・・・メモリ
【図１】
2008245206.tif 000003
【図２】
2008245206.tif 000004
【図３】
2008245206.tif 000005
【図４】
2008245206.tif 000006
【図５】
2008245206.tif 000007
【図６】
2008245206.tif 000008
【図７】
2008245206.tif 000009
【図８】
2008245206.tif 000010